(57)【要約】【課題】  簡潔な構成により、流量測定が出来ると共に、赤錆防止が出来、安価な電磁流量計を実現する。【解決手段】  測定流体に磁界を印加して測定流体の流量を測定する電磁流量計において、  流量演算のための低周波磁界を印加すると共に、この低周波磁界に赤錆防止のための静磁界を重畳させたことを特徴とする電磁流量計である。【選択図】                    図１
2005083891.tif 000002
【特許請求の範囲】
【請求項１】
測定流体に磁界を印加して測定流体の流量を測定する電磁流量計において、
流量演算のための低周波磁界を印加すると共に、この低周波磁界に赤錆防止のための静磁界を重畳させたこと
を特徴とする電磁流量計。
【請求項２】
測定流体に磁界を印加して測定流体の流量を測定する電磁流量計において、
流量演算のための低周波磁界を印加すると共に、この低周波磁界にこの低周波磁界より高い周波数の磁界を重畳させたこと
を特徴とする電磁流量計。
【請求項３】
赤錆防止のための前記低周波磁界より高い周波数は、おおよそ１Ｋｚから１０ＭＨｚであること
を特徴とする請求項２記載の電磁流量計。
【請求項４】
赤錆防止のための前記静磁界を形成する永久磁石が、電磁流量計のコアに設けられたこと
を特徴とする請求項１記載の電磁流量計。
【請求項５】
測定信号処理の入力回路にローパスフィルタが設けられたこと
を特徴とする請求項２又は請求項３記載の電磁流量計。
【請求項６】
測定信号処理の入力回路にＤＣカットフィルタが設けられたこと
を特徴とする請求項１又は請求項４記載の電磁流量計。
【発明の詳細な説明】
【技術分野】
【０００１】
本発明は、簡潔な構成により、流量測定が出来ると共に、赤錆防止が出来、安価な電磁流量計に関するものである。
【背景技術】
【０００２】
電磁流量計に関連する先行技術文献としては次のようなものがある。
【非特許文献１】「配管の付着物電磁波で除去」、日経ＭＪ新聞、日経新聞社、平成１４年４月            ４日（木曜日）、ｐ１７
【０００３】
従来、マンション等の給水管の赤錆防止対策として、種々の工法、装置が考案されている。
その装置の一つに、磁界を印加することによって、酸化鉄からなる赤錆の生成を防止する装置が、例えば、記事のタイトル：「配管の付着物電磁波で除去」、刊行物名；日経ＭＪ新聞、発行所：日経新聞社、発行年月日：平成１４年４月４日（木曜日）、ページ：ｐ１７  に示されている。
【０００４】
磁界の周波数、強さについては、さまざまなタイプがあり、一定の効果はあると考えられてはいるが、どのような磁界をかけるべきか定まった検証がない状態である。
また、磁界印加とともに赤外線照射を併用する装置もあるが効果は明らかではない。
また、医療用のＮＭＲと同様な磁界を印加する装置もある。
いずれも赤錆（ＦｅＯ）の生成を抑制し、黒錆（Ｆｅ3Ｏ4）の生成を促進させる効果をもつとされる。
【発明の開示】
【発明が解決しようとする課題】
【０００５】
上記の如き、従来装置は赤錆防止、赤水対策の用途のみを目的としていた。
従って、瞬時流量や積算流量は、別の装置を使用しなければならず、高価なものとなり、二種類の装置の設置スペースも必要になる。
【０００６】
本発明の目的は、上記の課題を解決するもので、簡潔な構成により、流量測定が出来ると共に、赤錆防止が出来、安価な電磁流量計を提供することを目的とする。
【課題を解決するための手段】
【０００７】
このような課題を達成するために、本発明では、請求項１の電磁流量計においては、
測定流体に磁界を印加して測定流体の流量を測定する電磁流量計において、
流量演算のための低周波磁界を印加すると共に、この低周波磁界に赤錆防止のための静磁界を重畳させたことを特徴とする。
【０００８】
本発明の請求項２においては、請求項１記載の電磁流量計において、
測定流体に磁界を印加して測定流体の流量を測定する電磁流量計において、
流量演算のための低周波磁界を印加すると共に、この低周波磁界にこの低周波磁界より高い周波数の磁界を重畳させたことを特徴とする。
【０００９】
本発明の請求項３においては、請求項２記載の電磁流量計において、
赤錆防止のための前記低周波磁界より高い周波数は、おおよそ１Ｋｚから１０ＭＨｚであることを特徴とする。
【００１０】
本発明の請求項４においては、請求項１記載の電磁流量計において、
赤錆防止のための前記静磁界を形成する永久磁石が、電磁流量計のコアに設けられたことを特徴とする。
【発明の効果】
【００１１】
本発明の請求項１によれば、次のような効果がある。
静磁界は管内を流れる水に作用し、水分子のクラスタのサイズを減少させ、その結果、配管内に酸化鉄（赤錆）の発生を抑える効果を有する電磁流量計が得られる。
同時に配管を流れる流量を検出し、瞬時流量や積算流量を出力できる電磁流量計が得られる。
一台の装置で、従来別々であった二種類の装置の機能を有し、安価な電磁流量計が得られる。
【００１２】
本発明の請求項２，請求項３によれば、次のような効果がある。
高周波静磁界は、管内を流れる水に作用し、水分子のクラスタのサイズを減少させ、その結果、配管内に酸化鉄（赤錆）の発生を抑える効果を有する電磁流量計が得られる。
【００１３】
同時に配管を流れる流量を検出し、瞬時流量や積算流量を出力できる電磁流量計が得られる。
一台の装置で、従来別々であった二種類の装置の機能を有し、安価な電磁流量計が得られる。
【００１４】
本発明の請求項４によれば、次のような効果がある。
赤錆防止のための前記静磁界を形成する永久磁石が、電磁流量計のコアに設けられたので、管路に近く配置出来、効率の良い電磁流量計が得られる。
【００１５】
本発明の請求項５によれば、次のような効果がある。
測定信号処理の入力回路にローパスフィルタが設けられたので、高周波成分がカットでき、流量測定精度が良好な電磁流量計が得られる。
【００１６】
本発明の請求項６によれば、次のような効果がある。
測定信号処理の入力回路にＤＣカットフィルタが設けられたので、バイアス信号分がカットでき、流量測定精度が良好な電磁流量計が得られる。
【発明を実施するための最良の形態】
【００１７】
以下本発明を図面を用いて詳細に説明する。
図１は本発明の一実施例の要部構成説明図である。
電磁流量計の測定原理は、絶縁性材料でライニングされた測定管１１に、流れと垂直方向に磁界Ｂを加え、磁界Ｂ、流れＦＬと垂直な方向に設置された測定電極１２から誘導起電力Ｅを取り出す。１３はコア、１４は励磁コイルである。
これらは、検出器部分を構成する
【００１８】
一般に通常の電磁流量計では、磁界Ｂは，交流低周波の矩形波電流Ｈ１（３〜３０Hz）で励磁される。
本発明の赤錆防止機能をもつ電磁流量計は、単一の周波数ではなく、流量検出のための励磁波形Ｈ１に赤錆防止のための高周波電流Ｈ２による高周波磁界を重畳させる。
【００１９】
高周波磁界の周波数は数１００ＫＨｚ〜数ＭＨｚとする。
磁気回路の周波数特性をよくするため、帰還磁路の材料は，高周波特性のよいものを採用する。なお、高周波磁界の波形は正弦波である。
１５は電源端子、１６は測定電極１２に接続された電磁信号処理回路である。
【００２０】
１７は励磁コイル１４に接続された励磁回路、１８は電磁信号処理回路１６からの出力信号端子である。
図２に励磁電流波形の一例を示す。図２では、数Ｈｚの低周波Ｈ１の励磁電流に数１００ＫＨｚの正弦波Ｈ２を重畳させた波形を模式的に示す。
図２において、縦軸は電流、横軸は時間を表す。
【００２１】
図３は流量を出力する信号処理ブロック図の一例を示す。
流量計検出器部分の電極１２でピックアップされた流量に比例する信号電圧は、ローパスフィルタ３１（ＬＰＦ）を通り、高周波成分がカットされて通常の電磁流量計の信号演算回路に入る。
【００２２】
図３のローパスフィルタ３１を通ったあとの波形は、図４のようになり、一定区間ａ，ｂ のサンプリング値Ｖａ，Ｖｂから  Ｖｅ=Ｖａ−Ｖｂを求める。
流れのない場合、Ｖａ＝Ｖｂ＝０であり、流量Ｑの流れのある場合、Ｖｅは流量Ｑに比例する。
【００２３】
この結果、
高周波静磁界は、管内を流れる水に作用し、水分子のクラスタのサイズを減少させ、その結果、配管内に酸化鉄（赤錆）の発生を抑える効果を有する電磁流量計が得られる。
同時に配管を流れる流量を検出し、瞬時流量や積算流量を出力できる電磁流量計が得られる。
【００２４】
一台の装置で、従来別々であった二種類の装置の機能を有し、安価な電磁流量計が得られる。
測定信号処理の入力回路１６にローパスフィルタ３１が設けられたので、高周波成分がカットでき、流量測定精度が良好な電磁流量計が得られる。
【００２５】
図５は、本発明の他の実施例の要部構成説明である。
本実施例においては、流量演算のための低周波磁界を印加すると共に、この低周波磁界に赤錆防止のための静磁界を重畳させた電磁流量計である。
この場合は、赤錆防止のための静磁界を形成する永久磁石４１が、電磁流量計のコア１３に設けられている。
【００２６】
この結果、
静磁界は、管１１内を流れる水に作用し、水分子のクラスタのサイズを減少させ、その結果、配管内に酸化鉄（赤錆）の発生を抑える効果を有する電磁流量計が得られる。
同時に配管を流れる流量を検出し、瞬時流量や積算流量を出力できる電磁流量計が得られる。
【００２７】
一台の装置で、従来別々であった二種類の装置の機能を有し、安価な電磁流量計が得られる。
測定信号処理の入回路１６にＤＣカットフィルタ５１が設けられたので、バイアス信号分がカットでき、流量測定精度が良好な電磁流量計が得られる。
【図面の簡単な説明】
【００２８】
【図１】本発明の一実施例の要部構成説明図である。
【図２】図１の動作説明図である。
【図３】図１の要部構成説明図である。
【図４】図１の動作説明図である。
【図５】本発明の他の実施例の要部構成である。
【図６】図１の要部構成説明図である。
【符号の説明】
【００２９】
１０    検出器部分
１１    測定管
１２    測定電極
１３    コア
１４    励磁コイル
１５    電源端子
１６    電磁信号処理回路
１７    励磁回路
１８    出力信号端子
ＦＬ    測定流体
３１    ローパスフィルタ
４１    永久磁石
５１    ＤＣカットフィルタ
ＦＬ    測定流体
【図１】
2005083891.tif 000003
【図２】
2005083891.tif 000004
【図３】
2005083891.tif 000005
【図４】
2005083891.tif 000006
【図５】
2005083891.tif 000007
【図６】
2005083891.tif 000008